(57)【要約】【課題】本発明は、ヘアークリップで頭髪を結束する際、髪挟持片を有するクリップ片に、回動軸を設けて、装飾体として、クリップカバーで覆い隠すことのできる、カバー付きヘアークリップに関するものである。          【解決手段】ヘアークリップは、互いに開閉可能な２つのクリップ片を備え、これらのクリップ片は、基部と、この基部の一端側に延びる把持部と、前記基部の他端側に弧状に湾曲して延び、先端部が櫛状に分岐した髪挟持片とを有する。前記ヘアークリップは、前記髪挟持片の前記基部側に、回動可能に基端が軸支されることにより、開閉可能であり、閉じたときに前記髪挟持片を覆う、２つのクリップカバーに備えられた係止凸部と係止凹部をかみ合わせ、固定することができるカバー付きヘアークリップ。【選択図】図１
2019072232.tif 000002
【特許請求の範囲】
【請求項１】
ヘアークリップであって、互いに開閉可能な２つのクリップ片を備え、これ
らのクリップ片は、基部と、この基部の一端側に延びる把持部と、前記基部の
他端側に弧状に湾曲して延び、先端部が櫛状に分岐した髪挟持片とを有し、前
記ヘアークリップは、前記髪挟持片の前記基部側に、回動可能に基端が軸支さ
れることにより、開閉可能であり、閉じた時に、前記髪挟持片を覆う、２つの
カバーを、さらに備えるヘアークリップ。
【請求項２】
前記２つのカバーの先端に、閉じた状態を保持する係止部が設けられている
請求項１に記載のヘアークリップ。
【発明の詳細な説明】
【技術分野】
【０００１】
本発明は、ヘアークリップで頭髪を結束する際、髪挟持片を有するクリップ片に、回動軸を設けて装飾体とし、クリップカバーで覆い隠すことのできる、カバー付きヘアークリップに関するものである。        
【背景技術】
【０００２】
従来、頭髪を束ねる方法は、束ねた髪に緩みが生じないよう、リング状にしたゴムバンドで結ぶ、若しくは、ヘアークリップで髪を挟み留めるのが一般的であった（特許文献１参照）。
【先行技術文献】
【特許文献】
【０００３】
【特許文献１】実登３０４１９７９号公報
【発明の概要】
【発明が解決しようとする課題】
【０００４】
従来のヘアークリップにあっては、頭髪を挟み留める機能性を重視しているため、装着した際、髪挟持片部やクリップ片が表に現れ、ヘアークリップ全体の形状が画一的で、装飾性やデザイン性に欠けるという問題点があった。本発明は、以上のような問題点をなくすためになされたものである。
【課題を解決するための手段】
【０００５】
ヘアークリップは、互いに開閉可能な２つのクリップ片を備え、これらのクリップ片は、基部と、この基部の一端側に延びる把持部と、前記基部の他端側に弧状に湾曲して延び、先端部が櫛状に分岐した髪挟持片とを有する。前記ヘアークリップは、前記髪挟持片の前記基部側に、回動可能に基端が軸支されることにより、開閉可能であり、閉じたときに前記髪挟持片を覆う、２つのクリップカバーに備えられた係止凸部と係止凹部をかみ合わせ、固定する機能を設ける。
本発明は、以上の構成よりなるカバー付きヘアークリップである。
【発明の効果】
【０００６】
ヘアークリップのクリップ片に、回動可能に連結される装飾体として、クリップカバーを設けることで、ヘアークリップを覆い被せることができ、髪飾りとしての、ヘアークリップの外観の装飾性及びデザイン性が向上する。
【図面の簡単な説明】
【０００７】
【図１】本発明の実施形態を示す斜視図である。
【図２】同実施形態を示す正面図である。
【図３】同実施形態を示す正面図で、ヘアークリップが互いに開いた              状態を示す図である。
【図４】同実施形態の把持部を示す拡大斜視図である。
【図５】同実施形態の把持部を示す拡大断面斜視図である。
【図６】同実施形態を示す分解斜視図である。
【図７】同実施形態を示す分解斜視図である。
【発明を実施するための形態】
【０００８】
以下、本発明を実施するための形態について、図を用いて説明する。
図１及び図２に示すように、本実施形態のヘアークリップ１は、基部２３と前記基部２３の一端側に延びる把持部２,１３、他端側に湾曲して伸び、先端部が櫛状に分岐した髪挟持片３,１４とを備える髪挟持片部５,１６を有する１対のクリップ片６,１７と、軸受部７,１８、回動軸８、スプリングばね９、からなり、クリップ片６,１７に、回動軸１１,２０を有する回動可能に連結されるクリップカバー１０,１９で構成されている。
【０００９】
上記クリップ片６,１７の内部には、複数の長突起４,１５を有し、上記クリップ片６,１７の一端部中央において延設された把持部２,１３と、この上記クリップ片６,１７の他端部に延設され、側面において、上記把持部２,１３とは逆方向に弧状に湾曲すると共に、互いに所定間隔を置いて形成された複数の髪挟持片３,１４を有する髪挟持片部５,１６が設けられている。 
【００１０】
これら１対のクリップ片６,１７は、それぞれ外向きに湾曲した状態で対向しており、コイルばね９を介して、互いに回動軸８で連結されると共に、髪挟持片３,１４が交互に交差し、かつ、把持部２,１３が互いに離間させ、クリップ片６,１７を開くことができるように構成されている。
【００１１】
図２に示すように、上記１対のクリップ片６,１７の一端部中央に延設された把持部２,１３の裏面側には、１対の軸受部７,１８が突設され、これらの軸受部７,１８を接合させて、コイルばね９を介して回転軸８を上記軸受部７,１８に開設された孔部２２に挿通して固定させることにより、１対のクリップ片６,１７を連結するように構成されている。
【００１２】
図５に示すように、コイルばね９は両端部が延設され、延設部がクリップ片６,１７の把持部２,１３を互いに拡開方向へ、即ち、髪挟持片３,１４を閉塞方向に付勢するように構成されている。    
【００１３】
そして、図６と図７で示すように、１対のクリップ片６,１７の内部に設けられた複数の長突起４,１５は、クリップ片６,１７の内側に沿って上下２列、櫛状に設けられ、上記１対の髪挟持片部５,１６が交差時に、先端部が互いに重複して配置されるよう形成されている。
【００１４】
従って、本実施の形態に係るヘアークリップ１を使用する場合には、図３で示すように、上記把持部２,１３を指で摘み、上記コイルばね９の付勢力に抗して、互いに接近させる。その結果、上記、髪挟持片部５,１６は拡開するため、ヘアークリップ１を、束ねた髪の毛を髪挟持片部５,１６の間に挟み、指を把持部２,１３から外すことにより、髪の毛に固定することができる。
【００１５】
このようにして、本実施の形態に係るヘアークリップ１で髪を固定した場合、上記髪挟持片３,１４は、上記コイルばね９の付勢力により、束ねられた髪の毛に食い込み、さらに、クリップ片６,１７の内部に設けられた長突起４,１５が、束ねた髪の内部に入り込むため、緩むことなく固定することができる。
【００１６】
更に、ヘアークリップ１で、頭髪を固定した後、クリップ片６,１７に回動軸１１,２０を有する回動可能に連結されたクリップカバー１０,１９を手で左右に開き、クリップカバー１０に備えられた係止凸部１２と、クリップカバー１９に備えられた係止凹部２１をかみ合わせることにより、固定することができる。
【００１７】
その結果、ヘアークリップ１の髪挟持片３,１４を有するクリップ片６,１７で髪を束ねた部分が、クリップカバー１０,１９で、完全に覆い隠すことができ、髪飾りとしての外観の、装飾性及びデザイン性の向上が図れる。
【００１８】
以上の実施形態では、クリップカバー１０,１９を、円筒形を用いて例示したが、楕円形、三角形、四角形、多角形等の筒体の形状全般が含まれるものとし、これに限定されない。
【００１９】
なお、本実施形態は、あくまでも例示であって、これによって発明範囲は限定されない。また、実施形態についてのあらゆる変更が可能であり、その変更可能な形態も、当然にこの発明に包含されるものである。
【符号の説明】
【００２０】
１    ヘアークリップ
２    把持部
３    髪挟持片
４    長突起
５    髪挟持片部
６    クリップ片
７    軸受部
８    回動軸
９    コイルばね
１０  クリップカバー
１１  回動軸
１２  係止凸部
１３  把持部
１４  髪挟持片
１５  長突起
１６  髪挟持片部
１７  クリップ片
１８  軸受部
１９  クリップカバー
２０  回動軸
２１  係止凹部
２２  孔部
２３  基部
【図１】
2019072232.tif 000003
【図２】
2019072232.tif 000004
【図３】
2019072232.tif 000005
【図４】
2019072232.tif 000006
【図５】
2019072232.tif 000007
【図６】
2019072232.tif 000008
【図７】
2019072232.tif 000009